(57)【要約】【課題】移動中に、コンテンツを閲覧したいとき、携帯性を有するコンテンツの表示機器を、即座に借りてコンテンツの閲覧をし、コンテンツの閲覧が終了すると同時に返却できるサービスを実現すること。【解決手段】ＩＣカードをかざした貸出希望者の本人認証を行い、本人認証が成功した場合のみ貸出を行う機能と、  ＩＣカードをかざした返却希望者の本人認証を行い、本人認証が成功した場合のみ貸出料金の決裁を行って返却を受け入れる機能とを有することを特徴とする自動貸出返却機。【選択図】なし【特許請求の範囲】
【請求項１】
ＩＣカードをかざした貸出希望者の本人認証を行い、本人認証が成功した場合のみ貸出を行う機能と、
ＩＣカードをかざした返却希望者の本人認証を行い、本人認証が成功した場合のみ貸出料金の決裁を行って返却を受け入れる機能とを有することを特徴とする自動貸出返却機。
【請求項２】
管理サーバと、複数の自動貸出返却機とを備え、管理サーバと、各自動貸出返却機とがネットワークに接続されているシステムであって、
各自動貸出返却機は、ＩＣカードをかざした貸出希望者の本人認証を行い、本人認証が成功した場合のみ貸出を行って、本人認証及び貸出の情報を管理サーバに送信する機能と、ＩＣカードをかざした返却希望者の本人認証を行い、本人認証が成功した場合のみ貸出料金の決裁を行って返却を受け入れて、本人認証及び決裁並びに返却の情報を管理サーバに送信する機能とを有し、
管理サーバは、本人認証及び貸出の情報を受信して保管する機能と、本人認証及び決裁並びに返却の情報を受信して保管する機能と、本人認証及び貸出の情報と本人認証及び決裁並びに返却の情報とを比較して整合しているか否かを確かめ、不整合のある場合に問合せをするための処理を行う機能とを有することを特徴とする自動貸出返却システム。
【請求項３】
管理サーバが接続しているネットワークに接続されている自動貸出返却機であって、
自動貸出返却機は、ＩＣカードをかざした貸出希望者の本人認証を行い、本人認証が成功した場合のみ貸出を行って、本人認証及び貸出の情報を管理サーバに送信する機能と、ＩＣカードをかざした返却希望者の本人認証を行い、本人認証が成功した場合のみ貸出料金の決裁を行って返却を受け入れて、本人認証及び決裁並びに返却の情報を管理サーバに送信する機能とを有し、
管理サーバは、本人認証及び貸出の情報を受信して保管する機能と、本人認証及び決裁並びに返却の情報を受信して保管する機能と、本人認証及び貸出の情報と本人認証及び決裁並びに返却の情報とを比較して整合しているか否かを確かめ、不整合のある場合に問合せをするための処理を行う機能とを有することを特徴とする自動貸出返却機。
【請求項４】
複数の自動貸出返却機が接続しているネットワークに接続されている管理サーバであって、
各自動貸出返却機は、ＩＣカードをかざした貸出希望者の本人認証を行い、本人認証が成功した場合のみ貸出を行って、本人認証及び貸出の情報を管理サーバに送信する機能と、ＩＣカードをかざした返却希望者の本人認証を行い、本人認証が成功した場合のみ貸出料金の決裁を行って返却を受け入れて、本人認証及び決裁並びに返却の情報を管理サーバに送信する機能とを有し、
管理サーバは、本人認証及び貸出の情報を受信して保管する機能と、本人認証及び決裁並びに返却の情報を受信して保管する機能と、本人認証及び貸出の情報と本人認証及び決裁並びに返却の情報とを比較して整合しているか否かを確かめ、不整合のある場合に問合せをするための処理を行う機能とを有することを特徴とする管理サーバ。
【請求項５】
自動貸出返却機が実行する方法であって、
ＩＣカードをかざした貸出希望者の本人認証を行い、本人認証が成功した場合のみ貸出を行う工程と、
ＩＣカードをかざした返却希望者の本人認証を行い、本人認証が成功した場合のみ貸出料金の決裁を行って返却を受け入れる工程とを含むことを特徴とする自動貸出返却方法。
【請求項６】
管理サーバと、複数の自動貸出返却機とを備え、管理サーバと、各自動貸出返却機とがネットワークに接続されているシステムが実行する方法であって、
第１の自動貸出返却機で、ＩＣカードをかざした貸出希望者の本人認証を行い、本人認証が成功した場合のみ貸出を行って、本人認証及び貸出の情報を管理サーバに送信する工程と、
管理サーバで、本人認証及び貸出の情報を受信して保管する工程と、
第２の自動貸出返却機で、ＩＣカードをかざした返却希望者の本人認証を行い、本人認証が成功した場合のみ貸出料金の決裁を行って返却を受け入れて、本人認証及び決裁並びに返却の情報を管理サーバに送信する工程と、
管理サーバで、本人認証及び決裁並びに返却の情報を受信して保管する工程と、
管理サーバで、本人認証及び貸出の情報と本人認証及び決裁並びに返却の情報とを比較して整合しているか否かを確かめ、不整合のある場合に問合せをするための処理を行う工程とを含むことを特徴とする自動貸出返却方法。
【請求項７】
管理サーバが接続しているネットワークに接続されている自動貸出返却機が実行する方法であって、
管理サーバは、本人認証及び貸出の情報を受信して保管する機能と、本人認証及び決裁並びに返却の情報を受信して保管する機能と、本人認証及び貸出の情報と本人認証及び決裁並びに返却の情報とを比較して整合しているか否かを確かめ、不整合のある場合に問合せをするための処理を行う機能とを有し、
ＩＣカードをかざした貸出希望者の本人認証を行い、本人認証が成功した場合のみ貸出を行って、本人認証及び貸出の情報を管理サーバに送信する工程と、
ＩＣカードをかざした返却希望者の本人認証を行い、本人認証が成功した場合のみ貸出料金の決裁を行って返却を受け入れて、本人認証及び決裁並びに返却の情報を管理サーバに送信する工程とを含むことを特徴とする自動貸出返却方法。
【請求項８】
複数の自動貸出返却機が接続しているネットワークに接続されている管理サーバが実行する方法であって、
各自動貸出返却機は、ＩＣカードをかざした貸出希望者の本人認証を行い、本人認証が成功した場合のみ貸出を行って、本人認証及び貸出の情報を管理サーバに送信する機能と、ＩＣカードをかざした返却希望者の本人認証を行い、本人認証が成功した場合のみ貸出料金の決裁を行って返却を受け入れて、本人認証及び決裁並びに返却の情報を管理サーバに送信する機能とを有し、
本人認証及び貸出の情報を受信して保管する工程と、
本人認証及び決裁並びに返却の情報を受信して保管する工程と、
本人認証及び貸出の情報と本人認証及び決裁並びに返却の情報とを比較して整合しているか否かを確かめ、不整合のある場合に問合せをするための処理を行う工程とを含む管理方法。
【発明の詳細な説明】
【技術分野】
【０００１】
本発明は、貸出と返却を自動的に行う技術に関する。
【背景技術】
【０００２】
一般に、コンテンツの表示機器には、例えば、Ｗｅｂコンテンツを表示可能な携帯電話機や携帯パソコン等の携帯端末のように、携帯性を有するものがある。
【０００３】
もちろん、携帯性を有するコンテンツの表示機器を、所持していれば、移動中でも、コンテンツを閲覧できる。
【０００４】
しかしながら、移動中に、コンテンツを閲覧したいとき、携帯性を有するコンテンツの表示機器を常に所持しているとは限らない。
【０００５】
このような場合、携帯性を有するコンテンツの表示機器を、即座に借りてコンテンツの閲覧をし、コンテンツの閲覧が終了すると同時に返却できるサービスがあれば良いが、このようなサービスは知られていない。
【発明の開示】
【発明が解決しようとする課題】
【０００６】
本発明は斯かる背景技術を鑑みてなされたもので、移動中に、コンテンツを閲覧したいとき、携帯性を有するコンテンツの表示機器を、即座に借りてコンテンツの閲覧をし、コンテンツの閲覧が終了すると同時に返却できるサービスを実現することを課題とする。
【０００７】
尚、以後、単に表示機器と云えば、携帯性を有するコンテンツの表示機器を意味するものとする。
【課題を解決するための手段】
【０００８】
本発明において上記課題を達成するために、まず請求項１の発明では、ＩＣカードをかざした貸出希望者の本人認証を行い、本人認証が成功した場合のみ貸出を行う機能と、
ＩＣカードをかざした返却希望者の本人認証を行い、本人認証が成功した場合のみ貸出料金の決裁を行って返却を受け入れる機能とを有することを特徴とする自動貸出返却機としたものである。
【０００９】
また請求項２の発明では、管理サーバと、複数の自動貸出返却機とを備え、管理サーバと、各自動貸出返却機とがネットワークに接続されているシステムであって、
各自動貸出返却機は、ＩＣカードをかざした貸出希望者の本人認証を行い、本人認証が成功した場合のみ貸出を行って、本人認証及び貸出の情報を管理サーバに送信する機能と、ＩＣカードをかざした返却希望者の本人認証を行い、本人認証が成功した場合のみ貸出料金の決裁を行って返却を受け入れて、本人認証及び決裁並びに返却の情報を管理サーバに送信する機能とを有し、
管理サーバは、本人認証及び貸出の情報を受信して保管する機能と、本人認証及び決裁並びに返却の情報を受信して保管する機能と、本人認証及び貸出の情報と本人認証及び決裁並びに返却の情報とを比較して整合しているか否かを確かめ、不整合のある場合に問合せをするための処理を行う機能とを有することを特徴とする自動貸出返却システムとしたものである。
【００１０】
また請求項３の発明では、管理サーバが接続しているネットワークに接続されている自動貸出返却機であって、
自動貸出返却機は、ＩＣカードをかざした貸出希望者の本人認証を行い、本人認証が成功した場合のみ貸出を行って、本人認証及び貸出の情報を管理サーバに送信する機能と、ＩＣカードをかざした返却希望者の本人認証を行い、本人認証が成功した場合のみ貸出料金の決裁を行って返却を受け入れて、本人認証及び決裁並びに返却の情報を管理サーバに送信する機能とを有し、
管理サーバは、本人認証及び貸出の情報を受信して保管する機能と、本人認証及び決裁並びに返却の情報を受信して保管する機能と、本人認証及び貸出の情報と本人認証及び決裁並びに返却の情報とを比較して整合しているか否かを確かめ、不整合のある場合に問合せをするための処理を行う機能とを有することを特徴とする自動貸出返却機としたものである。
【００１１】
また請求項４の発明では、複数の自動貸出返却機が接続しているネットワークに接続されている管理サーバであって、
各自動貸出返却機は、ＩＣカードをかざした貸出希望者の本人認証を行い、本人認証が成功した場合のみ貸出を行って、本人認証及び貸出の情報を管理サーバに送信する機能と、ＩＣカードをかざした返却希望者の本人認証を行い、本人認証が成功した場合のみ貸出料金の決裁を行って返却を受け入れて、本人認証及び決裁並びに返却の情報を管理サーバに送信する機能とを有し、
管理サーバは、本人認証及び貸出の情報を受信して保管する機能と、本人認証及び決裁並びに返却の情報を受信して保管する機能と、本人認証及び貸出の情報と本人認証及び決裁並びに返却の情報とを比較して整合しているか否かを確かめ、不整合のある場合に問合せをするための処理を行う機能とを有することを特徴とする管理サーバとしたものである。
【００１２】
また請求項５の発明では、自動貸出返却機が実行する方法であって、
ＩＣカードをかざした貸出希望者の本人認証を行い、本人認証が成功した場合のみ貸出を行う工程と、
ＩＣカードをかざした返却希望者の本人認証を行い、本人認証が成功した場合のみ貸出料金の決裁を行って返却を受け入れる工程とを含むことを特徴とする自動貸出返却方法としたものである。
【００１３】
また請求項６の発明では、管理サーバと、複数の自動貸出返却機とを備え、管理サーバと、各自動貸出返却機とがネットワークに接続されているシステムが実行する方法であって、
第１の自動貸出返却機で、ＩＣカードをかざした貸出希望者の本人認証を行い、本人認証が成功した場合のみ貸出を行って、本人認証及び貸出の情報を管理サーバに送信する工程と、
管理サーバで、本人認証及び貸出の情報を受信して保管する工程と、
第２の自動貸出返却機で、ＩＣカードをかざした返却希望者の本人認証を行い、本人認証が成功した場合のみ貸出料金の決裁を行って返却を受け入れて、本人認証及び決裁並びに返却の情報を管理サーバに送信する工程と、
管理サーバで、本人認証及び決裁並びに返却の情報を受信して保管する工程と、
管理サーバで、本人認証及び貸出の情報と本人認証及び決裁並びに返却の情報とを比較して整合しているか否かを確かめ、不整合のある場合に問合せをするための処理を行う工程とを含むことを特徴とする自動貸出返却方法としたものである。
【００１４】
また請求項７の発明では、管理サーバが接続しているネットワークに接続されている自動貸出返却機が実行する方法であって、
管理サーバは、本人認証及び貸出の情報を受信して保管する機能と、本人認証及び決裁並びに返却の情報を受信して保管する機能と、本人認証及び貸出の情報と本人認証及び決裁並びに返却の情報とを比較して整合しているか否かを確かめ、不整合のある場合に問合せをするための処理を行う機能とを有し、
ＩＣカードをかざした貸出希望者の本人認証を行い、本人認証が成功した場合のみ貸出を行って、本人認証及び貸出の情報を管理サーバに送信する工程と、
ＩＣカードをかざした返却希望者の本人認証を行い、本人認証が成功した場合のみ貸出料金の決裁を行って返却を受け入れて、本人認証及び決裁並びに返却の情報を管理サーバに送信する工程とを含むことを特徴とする自動貸出返却方法としたものである。
【００１５】
また請求項８の発明では、複数の自動貸出返却機が接続しているネットワークに接続されている管理サーバが実行する方法であって、
各自動貸出返却機は、ＩＣカードをかざした貸出希望者の本人認証を行い、本人認証が成功した場合のみ貸出を行って、本人認証及び貸出の情報を管理サーバに送信する機能と、ＩＣカードをかざした返却希望者の本人認証を行い、本人認証が成功した場合のみ貸出料金の決裁を行って返却を受け入れて、本人認証及び決裁並びに返却の情報を管理サーバに送信する機能とを有し、
本人認証及び貸出の情報を受信して保管する工程と、
本人認証及び決裁並びに返却の情報を受信して保管する工程と、
本人認証及び貸出の情報と本人認証及び決裁並びに返却の情報とを比較して整合しているか否かを確かめ、不整合のある場合に問合せをするための処理を行う工程とを含む管理方法としたものである。
【発明の効果】
【００１６】
請求項１〜８に記載の発明は、移動中に、コンテンツを閲覧したいとき、携帯性を有するコンテンツの表示機器を、即座に借りてコンテンツの閲覧をし、コンテンツの閲覧が終了すると同時に返却できるサービスを実現できるという効果がある。
【００１７】
また請求項２〜４及び６〜８に記載の発明は、貸出と返却との間の不整合を見出して問い合わせることが容易に行えるという効果もある。
【発明を実施するための最良の形態】
【００１８】
以下に、本発明の最良の一実施形態を説明する。
１．構成
本発明の自動貸出返却システムは、管理サーバと、複数の自動貸出返却機とを備え、管理サーバと、各自動貸出返却機とが、ネットワークに接続されているシステムである。
【００１９】
ネットワークは、これに接続される機器（管理サーバ、自動貸出返却機、表示機器など）同士の間でデータ通信が可能であれば、その種類や形態に特に制限は無く、例えば、インターネットや専用回線でも良く、また、途中で光通信や無線通信が行なわれるものであっても良い。
【００２０】
自動貸出返却機は、ＩＣカードを所持する者を対象として、表示機器の貸出と返却を無人で自動的に行う機械であって、様々な場所に設置される。
【００２１】
ＩＣカードは、本人認証機能と、決裁機能とを有する。
【００２２】
自動貸出返却機は、表示機器の貸出希望者がＩＣカードをかざしたとき、このＩＣカードの本人認証機能を活用して、表示機器の貸出希望者の本人認証を行い、この本人認証が成功した場合のみ、表示機器の貸出希望者に、表示機器の貸出を行う。そして、自動貸出
返却機は、本人認証及び貸出の情報を、管理サーバに送信する。
【００２３】
自動貸出返却機は、表示機器の返却希望者がＩＣカードをかざしたとき、このＩＣカードの本人認証機能を活用して、表示機器の返却希望者の本人認証を行い、この本人認証が成功した場合のみ、このＩＣカードの決裁機能を活用して、表示機器の貸出料金の決裁を行って、表示機器の返却希望者から、返却する表示機器を受け入れる。そして、自動貸出返却機は、本人認証及び決裁並びに返却の情報を、管理サーバに送信する。
【００２４】
表示機器を貸出した自動貸出返却機と、表示機器を返却する自動貸出返却機とは、同じであっても良いし、異なっても良い。
【００２５】
管理サーバは、表示機器の貸出を行った自動貸出返却機から、本人認証及び貸出の情報を受信し、受信した本人認証及び貸出の情報を保管する。
【００２６】
管理サーバは、表示機器の返却を受け入れた自動貸出返却機から、本人認証及び決裁並びに返却の情報を受信し、受信した本人認証及び決裁並びに返却の情報を保管する。
【００２７】
また管理サーバは、表示機器の返却を受け入れた自動貸出返却機から受信した本人認証及び決裁並びに返却の情報と、保管している本人認証及び貸出の情報とを比較して整合しているか否かを確かめる。
【００２８】
不整合があるならば、この不整合について、管理サーバは、表示機器を貸出した又は返却した者に問い合わせるための処理を行う。例えば、表示機器を返却した者に問い合わせることを、表示機器の返却を受け入れた自動貸出返却機にさせても良い。また例えば、表示機器を貸出した又は返却した者に、問合せの電子メールを送っても良い。また例えば、表示機器を貸出した又は返却した者に問い合わせることを、この問合せの担当者に促しても良い。
【００２９】
また管理サーバは、コンテンツサーバを兼ねており、表示機器をネットワークに接続することにより、管理サーバから希望するコンテンツをダウンロードして閲覧することが可能である。このコンテンツは、このコンテンツの配信を希望する者の端末から、ネットワークを介して、管理サーバに送られたものであっても良い。コンテンツの中には、広告も含まれる。
【００３０】
また管理サーバとは別のコンテンツサーバが、ネットワークに接続されていても良い。この場合、表示機器をネットワークに接続することにより、コンテンツサーバから希望するコンテンツをダウンロードして閲覧することが可能である。
２．処理
まず、表示機器の貸出に関して、本発明の自動貸出返却システムが行う処理フローを、図２のフローチャートに従って、以下に説明する。
Ｓ（ＳＴＥＰ）１；
自動貸出返却機は、表示機器の貸出希望者がかざしたＩＣカードの本人認証機能を活用して、表示機器の貸出希望者の本人認証を行う。
【００３１】
本人認証に成功したならば、ＳＴＥＰ２に進む。
【００３２】
本人認証に失敗したならば、ＥＮＤに進む。
Ｓ（ＳＴＥＰ）２；
自動貸出返却機は、表示機器の貸出希望者に、表示機器の貸出を行う。
Ｓ（ＳＴＥＰ）３；
自動貸出返却機は、本人認証及び貸出の情報を、管理サーバに送信する。
Ｓ（ＳＴＥＰ）４；
管理サーバは、本人認証及び貸出の情報を受信する。
Ｓ（ＳＴＥＰ）５；
管理サーバは、本人認証及び貸出の情報を保管する。
【００３３】
次に、表示機器の返却に関して、本発明の自動貸出返却システムが行う処理フローを、図３のフローチャートに従って、以下に説明する。
Ｓ（ＳＴＥＰ）１；
自動貸出返却機は、表示機器の返却希望者がかざしたＩＣカードの本人認証機能を活用して、表示機器の返却希望者の本人認証を行う。
【００３４】
本人認証に成功したならば、ＳＴＥＰ２に進む。
【００３５】
本人認証に失敗したならば、ＥＮＤに進む。
Ｓ（ＳＴＥＰ）２；
自動貸出返却機は、表示機器の返却希望者がかざしたＩＣカードの決裁機能を活用して、表示機器の貸出料金の決裁を行う。
Ｓ（ＳＴＥＰ）３；
自動貸出返却機は、表示機器の返却希望者から、表示機器の返却を受け入れる。
Ｓ（ＳＴＥＰ）４；
自動貸出返却機は、本人認証及び決裁並びに返却の情報を、管理サーバに送信する。
Ｓ（ＳＴＥＰ）５；
管理サーバは、本人認証及び決裁並びに返却の情報を受信する。
Ｓ（ＳＴＥＰ）６；
管理サーバは、本人認証及び決裁並びに返却の情報を保管する。
Ｓ（ＳＴＥＰ）７；
管理サーバは、表示機器の返却を受け入れた自動貸出返却機から受信した本人認証及び決裁並びに返却の情報と、保管している本人認証及び貸出の情報とを比較して整合しているか否かを確かめる。
【００３６】
整合しているならば、ＥＮＤに進む。
【００３７】
不整合があるならば、ＳＴＥＰ８に進む。
Ｓ（ＳＴＥＰ）８；
管理サーバは、不整合について、表示機器を貸出した又は返却した者に問い合わせるための処理を行う。
【００３８】
例えば、表示機器を返却した者に問い合わせることを、表示機器の返却を受け入れた自動貸出返却機にさせても良い。
【００３９】
また例えば、表示機器を貸出した又は返却した者に、問合せの電子メールを送っても良い。
【００４０】
また例えば、表示機器を貸出した又は返却した者に問い合わせることを、この問合せの担当者に促しても良い。
【図面の簡単な説明】
【００４１】
【図１】自動貸出返却システムの構成を示す図。
【図２】表示機器の貸出に関して、本発明の自動貸出返却システムが行う処理フローを示すフローチャート。
【図３】表示機器の返却に関して、本発明の自動貸出返却システムが行う処理フローを示すフローチャート。
【図１】
2005215956.tif 000002
【図２】
2005215956.tif 000003
【図３】
2005215956.tif 000004